【手続補正書】
【提出日】平成13年10月22日(2001.10.22)
【手続補正１】
【補正対象書類名】明細書
【補正対象項目名】０５０８
【補正方法】変更
【補正の内容】
【０５０８】
【化１３４】
2004500801.tif 000001
【手続補正２】
【補正対象書類名】明細書
【補正対象項目名】０８７０
【補正方法】変更
【補正の内容】
【０８７０】
これは、アミノ酸配列（配列番号３２４４；ＯＲＦ０２５）に対応する：


【手続補正３】
【補正対象書類名】明細書
【補正対象項目名】０８７２
【補正方法】変更
【補正の内容】
【０８７２】
以下の部分ＤＮＡ配列は、Ｎ．ｍｅｎｉｎｇｉｔｉｄｉｓにおいて同定された（配列番号３２４５）：


【手続補正４】
【補正対象書類名】明細書
【補正対象項目名】０８７５
【補正方法】変更
【補正の内容】
【０８７５】
これは、アミノ酸配列（配列番号３２４６；ＯＲＦ０２５．ａ）に対応する：


【手続補正５】
【補正対象書類名】明細書
【補正対象項目名】０８８１
【補正方法】変更
【補正の内容】
【０８８１】
以下の部分ＤＮＡ配列は、Ｎ．ｇｏｎｏｒｒｈｏｅａｅにおいて同定された（配列番号３２４７）：


【手続補正６】
【補正対象書類名】明細書
【補正対象項目名】０８８３
【補正方法】変更
【補正の内容】
【０８８３】
これは、アミノ酸配列（配列番号３２４８；ＯＲＦ０３１．ｎｇ）に対応する：


【手続補正７】
【補正対象書類名】明細書
【補正対象項目名】０８８５
【補正方法】変更
【補正の内容】
【０８８５】
以下の部分ＤＮＡ配列は、Ｎ．ｍｅｎｉｎｇｉｔｉｄｉｓにおいて同定された（配列番号３２４９）：


【手続補正８】
【補正対象書類名】明細書
【補正対象項目名】０８８７
【補正方法】変更
【補正の内容】
【０８８７】
これは、アミノ酸配列（配列番号３２５０；ＯＲＦ０３１）に対応する：


【手続補正９】
【補正対象書類名】明細書
【補正対象項目名】０８８９
【補正方法】変更
【補正の内容】
【０８８９】
以下の部分ＤＮＡ配列は、Ｎ．ｍｅｎｉｎｇｉｔｉｄｉｓにおいて同定された（配列番号３２５１）：


【手続補正１０】
【補正対象書類名】明細書
【補正対象項目名】０８９１
【補正方法】変更
【補正の内容】
【０８９１】
これは、アミノ酸配列（配列番号３２５２；ＯＲＦ０３１．ａ）に対応する：


【手続補正１１】
【補正対象書類名】明細書
【補正対象項目名】０８９６
【補正方法】変更
【補正の内容】
【０８９６】
以下の部分ＤＮＡ配列は、Ｎ．ｇｏｎｏｒｒｈｏｅａｅにおいて同定された（配列番号３２５３）：


【手続補正１２】
【補正対象書類名】明細書
【補正対象項目名】０８９８
【補正方法】変更
【補正の内容】
【０８９８】
これは、アミノ酸配列（配列番号３２５４；ＯＲＦ０３２．ｎｇ）に対応する：


【手続補正１３】
【補正対象書類名】明細書
【補正対象項目名】０９０１
【補正方法】変更
【補正の内容】
【０９０１】
以下の部分ＤＮＡ配列は、Ｎ．ｍｅｎｉｎｇｉｔｉｄｉｓにおいて同定された（配列番号３２５５）：


【手続補正１４】
【補正対象書類名】明細書
【補正対象項目名】０９０３
【補正方法】変更
【補正の内容】
【０９０３】
これは、アミノ酸配列（配列番号３２５６；ＯＲＦ０３２）に対応する：


【手続補正１５】
【補正対象書類名】明細書
【補正対象項目名】０９０５
【補正方法】変更
【補正の内容】
【０９０５】
以下の部分ＤＮＡ配列は、Ｎ．ｍｅｎｉｎｇｉｔｉｄｉｓにおいて同定された（配列番号３２５７）：


【手続補正１６】
【補正対象書類名】明細書
【補正対象項目名】０９０７
【補正方法】変更
【補正の内容】
【０９０７】
これは、アミノ酸配列（配列番号３２５８；ＯＲＦ０３２．ａ）に対応する：


【手続補正１７】
【補正対象書類名】明細書
【補正対象項目名】０９１２
【補正方法】変更
【補正の内容】
【０９１２】
以下の部分ＤＮＡ配列は、Ｎ．ｇｏｎｏｒｒｈｏｅａｅにおいて同定された（配列番号３２５９）：


【手続補正１８】
【補正対象書類名】明細書
【補正対象項目名】０９１５
【補正方法】変更
【補正の内容】
【０９１５】
これは、アミノ酸配列（配列番号３２６０；ＯＲＦ０３３．ｎｇ）に対応する：


【手続補正１９】
【補正対象書類名】明細書
【補正対象項目名】０９１７
【補正方法】変更
【補正の内容】
【０９１７】
以下の部分ＤＮＡ配列は、Ｎ．ｍｅｎｉｎｇｉｔｉｄｉｓにおいて同定された（配列番号３２６１）：


【手続補正２０】
【補正対象書類名】明細書
【補正対象項目名】０９２０
【補正方法】変更
【補正の内容】
【０９２０】
これは、アミノ酸配列（配列番号３２６２；ＯＲＦ０３３）に対応する：


【手続補正２１】
【補正対象書類名】明細書
【補正対象項目名】０９２２
【補正方法】変更
【補正の内容】
【０９２２】
以下の部分ＤＮＡ配列は、Ｎ．ｍｅｎｉｎｇｉｔｉｄｉｓにおいて同定された（配列番号３２６３）：


【手続補正２２】
【補正対象書類名】明細書
【補正対象項目名】１４０９
【補正方法】変更
【補正の内容】
【１４０９】
以下の部分的なＤＮＡ配列は、Ｎ．ｍｅｎｉｎｇｉｔｉｄｉｓにおいて同定された（配列番号３０１）：


【手続補正２３】
【補正対象書類名】明細書
【補正対象項目名】１４１１
【補正方法】変更
【補正の内容】
【１４１１】
これはアミノ酸配列（配列番号３０２；ＯＲＦ０９０−１）に対応する：


【手続補正２４】
【補正対象書類名】明細書
【補正対象項目名】５８３６
【補正方法】変更
【補正の内容】
【５８３６】
以下の部分ＤＮＡ配列は、Ｎ．ｇｏｎｏｒｒｈｏｅａｅにおいて同定された（配列番号２００７）：


【手続補正２５】
【補正対象書類名】明細書
【補正対象項目名】５８３８
【補正方法】変更
【補正の内容】
【５８３８】
これは、以下のアミノ酸配列（配列番号２００４；ＯＲＦ６２５．ｎｇ）に対応する：


【手続補正２６】
【補正対象書類名】明細書
【補正対象項目名】５８４１
【補正方法】変更
【補正の内容】
【５８４１】
以下の部分ＤＮＡ配列は、Ｎ．ｍｅｎｉｎｇｉｔｉｄｉｓにおいて同定された（配列番号２００５）：


【手続補正２７】
【補正対象書類名】明細書
【補正対象項目名】５８４３
【補正方法】変更
【補正の内容】
【５８４３】
これは、以下のアミノ酸配列（配列番号２００６；ＯＲＦ６２５）に対応する：


【手続補正２８】
【補正対象書類名】明細書
【補正対象項目名】８０１２
【補正方法】変更
【補正の内容】
【８０１２】
【化５２４１】
2004500801.tif 000002
【手続補正２９】
【補正対象書類名】図面
【補正対象項目名】全図
【補正方法】変更
【補正の内容】
【図１】
2004500801.tif 000003
【図２】
2004500801.tif 000004
【図３】
2004500801.tif 000005
【図４】
2004500801.tif 000006
【図５】
2004500801.tif 000007
【図６】
2004500801.tif 000008
【図７】
2004500801.tif 000009
【図８】
2004500801.tif 000010
【図９】
2004500801.tif 000011
【図１０】
2004500801.tif 000012
【図１１】
2004500801.tif 000013
【図１２】
2004500801.tif 000014
【図１３】
2004500801.tif 000015
【図１４】
2004500801.tif 000016
【図１５】
2004500801.tif 000017
【図１６】
2004500801.tif 000018
【図１７】
2004500801.tif 000019
【図１８】
2004500801.tif 000020
【図１９Ａ】
2004500801.tif 000021
【図１９Ｂ】
2004500801.tif 000022
【図１９Ｃ】
2004500801.tif 000023
【図２０Ａ】
2004500801.tif 000024
【図２０Ｂ】
2004500801.tif 000025
【図２１Ａ】
2004500801.tif 000026
【図２１Ｂ】
2004500801.tif 000027
【図２２Ａ】
2004500801.tif 000028
【図２２Ｂ】
2004500801.tif 000029
【図２３Ａ】
2004500801.tif 000030
【図２３Ｂ】
2004500801.tif 000031
【図２３Ｃ】
2004500801.tif 000032
【図２３Ｄ】
2004500801.tif 000033